【手続補正書】
【提出日】平成22年1月14日(2010.1.14)
【手続補正１】
【補正対象書類名】特許請求の範囲
【補正対象項目名】全文
【補正方法】変更
【補正の内容】
【特許請求の範囲】
【請求項１】
内面に水を溜水として貯留して被験者の排泄物を受けるボールと、前記ボールを下水配管に接続するとともに前記溜水が前記下水配管との空気の流通を遮断する封水を形成するトラップ管路と、
水源から供給される水を貯留する給水貯留手段と、
前記給水貯留手段に貯留されている貯留水を電気的駆動力によって前記ボール内に搬送する貯留水搬送手段と、
前記溜水の水位を測定を開始する水位である測定開始水位に形成する測定開始水位形成手段と、
前記溜水の水位を計測する溜水水位計測手段と、
被験者の排泄物によって前記測定開始水位から変化する溜水の水位を前記溜水水位計測手段によって計測して得られる水位値に基づいて前記排泄物の排泄量を求める排尿情報算出手段と、を備えた排尿情報測定装置において、
前記貯留水搬送手段は、搬送する水の単位時間当たりの量である給水率が変更可能なものであるとともに、
前記測定開始水位形成手段は、前記ボール内の溜水をサイホン現象によって前記トラップ管路外に排出可能なレベルの前記給水率に前記貯留水搬送手段の動作を制御する第１搬送制御モードと、
前記ボール内に溜水を形成可能なレベルの前記給水率に前記貯留水搬送手段の動作を制御する第２搬送制御モードと、を有した測定開始水位形成制御手段を備え、
前記第１搬送制御モードを実行して前記ボール内の溜水を前記トラップ管路外に排出した後に、前記第２搬送制御モードを実行することによって前記測定開始水位を形成することを特徴とする排尿情報測定装置。
【請求項２】
前記測定開始水位が、前記トラップ管路の破封水位より高く、且つ、溢流水位よりも低い所定水位であることを特徴とする請求項１記載の排尿情報測定装置。
【請求項３】
前記貯留水搬送手段は、前記ボールの上縁部に設けられた便器リム吐水口に連通するリム迂回吐水管路をさらに有し、前記第２搬送動作モードの実行時は前記リム迂回吐水管路も前記ボールに水を搬送することを特徴とする請求項１または２に記載の排尿情報測定便器装置。
【手続補正２】
【補正対象書類名】明細書
【補正対象項目名】０００２
【補正方法】変更
【補正の内容】
【０００２】
内面に水を溜水として貯留して被験者の排泄物を受けるボールと、前記ボールを下水配管に接続するとともに前記溜水が前記下水配管との空気の流通を遮断する封水を形成するトラップ管路と、水源から供給される水を貯留する給水貯留手段と、前記給水貯留手段に貯留されている貯留水を電気的駆動力によって前記ボール内に搬送する貯留水搬送手段と、前記溜水の水位を測定を開始する水位である測定開始水位に形成する測定開始水位形成手段と、前記溜水の水位を計測する溜水水位計測手段と、被験者の排泄物によって前記測定開始水位から変化する溜水の水位を前記溜水水位計測手段によって計測して得られる水位値に基づいて前記排泄物の排泄量を求める排尿情報算出手段と、を備えた排尿情報測定装置において、
前記貯留水搬送手段は、搬送する水の単位時間当たりの量である給水率が変更可能なものであるとともに、
前記測定開始水位形成手段は、前記ボール内の溜水をサイホン現象によって前記トラップ管路外に排出可能なレベルの前記給水率に前記貯留水搬送手段の動作を制御する第１搬送制御モードと、
前記ボール内に溜水を形成可能なレベルの前記給水率に前記貯留水搬送手段の動作を制御する第２搬送制御モードと、を有した測定開始水位形成制御手段を備え、
前記第１搬送制御モードを実行して前記ボール内の溜水を前記トラップ管路外に排出した後に、前記第２搬送制御モードを実行することによって前記測定開始水位を形成することを特徴とすることにより
排泄物を下水配管に排出するための便器洗浄構成と、測定開始水位形成のための構成を制御方法の違いだけで兼用させられるため、水路構成の総コストを安く、かつコンパクトな構成とするを可能とした。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
また、請求項２記載の発明のよれば、
前記測定開始水位が、前記トラップ管路の破封水位より高く、且つ、溢流水位よりも低い所定水位であることを特徴とすることにより、
測定中は溜水が下水配管との空気の流通を遮断する封水の役割を果たすため、簡単な構成でトイレ内の衛生性を確保することができる。
【手続補正５】
【補正対象書類名】明細書
【補正対象項目名】０００９
【補正方法】変更
【補正の内容】
【０００９】
また、請求項３記載の発明のよれば、さらに前記貯留水搬送手段は、前記ボールの上縁部に設けられた便器リム吐水口に連通するリム迂回吐水管路を有し、前記第２搬送動作モードの実行時は前記リム迂回吐水管路も前記ボールに水を搬送することを特徴とすることにより、
測定開始水位創成のための給水によってボール内面の洗浄にも利用することができるため、便器のボール内面を清浄に保つことが可能となる。
【手続補正６】
【補正対象書類名】明細書
【補正対象項目名】００４７
【補正方法】変更
【補正の内容】
【００４７】
貯留水搬送手段として本実施例で用いられている給水ポンプ３２４は、単位時間当たりに、トラップ１４から流出する量より多くの水を供給することによってトラップ１４を満水状態となる溜水水位である満水水位にすることが可能な程度に大きな給水率（貯留水搬送手段の運転時の搬送能力を表す指標として、単位時間当たりに給水可能な搬送量を使用し、以下これを「給水率」と呼ぶ）で給水動作する大給水率運転モードと、給水量制御がより正確に行なえる小さな給水率で給水動作を行なう小給水率運転モードとを含む少なくとも２種類以上の互いに異なった複数の給水率の運転モードに対応できるものであり、ポンプ用モーターが交流仕様ならインバーター制御を行なうもの、また、直流モーターならブラシレス仕様で回転数を制御するようになっているものが使用できる。
【手続補正７】
【補正対象書類名】明細書
【補正対象項目名】００８３
【補正方法】変更
【補正の内容】
【００８３】
１…排尿情報測定装置
３…便器部
４…大便器
５…排尿情報測定部
６…尿量測定部
７…衛生洗浄装置
７ａ…衛生洗浄手段
９…尿成分測定部
９１…採尿手段
９１１…採尿容器
９１２…採尿アーム
９１３…駆動・移送部
９２…尿成分分析手段
１２…装置給水手段
１２１…止水栓
１２２…定流量弁
１２３…開閉弁
１３１…分岐金具
１３２…分岐金具
１４…トラップ
１４１…トラップ口
１５…排水ソケット
１６…下水配管口
１７１…便座
１７２…便ふた
１８…キャビネット
２０…ボール
２１…リム吐水口
２２…ゼット吐水口
２３…溜水
３０…便器給水手段
３１…リム給水手段
３１１…リム給水管路
３１２…開閉弁
３１３…バキュームブレーカー
３１４…フラッパー弁
３２…ゼット給水手段
３２ａ…給水貯留手段
３２ｂ…貯留水搬送手段
３２ｃ…流路分岐手段
３２１…ゼット給水管路
３２２…給水貯留タンク
３２３…フラップ弁
３２４…給水ポンプ
３２５…給水管路切替弁
３４…リム迂回給水管路
４０…便器制御部
４１…便器給水制御手段
５０…尿量計測部
５１…溜水水位計測手段
５１ａ…水頭圧計測手段
５１ｂ…計測出力校正手段
５１１…水位測定管
５１２…水頭圧計測センサー
５１３…開閉弁
５１４…開放端（水位測定管）
５１５…水封端（水位測定管）
５２…下水圧変動量計測手段
５２１…下水圧計測センサー
５２２…下水配管連絡管路
５３…検量関係計測手段
５３１…検量ポンプ
５３２…開閉弁
５４１…止水栓（給水源側）
５４２…止水栓（便器側）
５４３…ワンタッチ接続金具（給水源側）
５４４…ワンタッチ接続金具（便器側）
５４５…ワンタッチ接続金具（下水配管側）
５５…下水配管縁切り手段
５５１…トラップタンク
５７…計測管路
５７ａ…計測管路開閉手段
５７１…開閉弁
５８１…尿量計測部給水管路
５８２…開閉弁
６０…計測制御部
６１…尿量情報算出手段
６１ａ…溜水量算出手段
６１ｂ…下水圧変動補正手段
６２…測定情報記憶手段
６２１…検量関係記憶手段
６３…測定開始水位形成制御手段
７０…操作・表示部
７１…リモコン（便器部用）
７２…リモコン（排尿情報測定部用）
７３…プリンター
８０…連係動作制御手段
８１…中継基板
８２ａ…状態表示手段（便器部用）
８２ｂ…状態受信手段（便器部用）
８３ａ…状態表示手段（尿量測定部用）
８３ｂ…状態受信手段（尿量測定部用）
Ｒ１…測定開始水位溜水量（排尿前溜水量）
Ｒ２…排尿後溜水量
ｑ…尿流率
ｑ（ｔ）…時刻ｔにおける尿流率
Ｑｍ…測定された排尿量
Ｑｔ…真の排尿量
ｔ…時刻
Ｗ…満水水位
Ｈ…溢流水位
Ｘ…空水位
Ｙ…測定開始水位
Ｚ…排尿後水位